(57)【要約】【課題】マスター画像と入力画像をマッチングする際に、類似度の算出に悪影響を及ぼさないＰＴＰシートのマスター画像を準備すること。【解決手段】撮影したＰＴＰシートをマッチングするマスター画像を管理する情報処理装置が、ＰＴＰシート種別毎に錠剤ポケット領域の位置情報が関連付けられたＰＴＰシートデータを記憶し、ＰＴＰシートデータを用いて、ＰＴＰシート種別毎の錠剤ポケット領域の位置情報を取得し、指定したＰＴＰシート種別に対応する第１のＰＴＰシート撮影画像の取得した錠剤ポケット領域を、当該第１のＰＴＰシート撮影画像とは異なるように加工した第２のＰＴＰシート撮影画像を生成し、第２のＰＴＰシート撮影画像を、マッチングするマスター画像として、ＰＴＰシート種別に関連付けて登録する。 【選択図】図８
2018173803.tif 000002
【特許請求の範囲】
【請求項１】
撮影したＰＴＰシートをマッチングするマスター画像を管理する情報処理装置であって、
ＰＴＰシート種別毎に錠剤ポケット領域の位置情報が関連付けられたＰＴＰシートデータを記憶する記憶手段と、
前記ＰＴＰシートデータを用いて、ＰＴＰシート種別毎の錠剤ポケット領域の位置情報を取得する取得手段と、
指定したＰＴＰシート種別に対応する第１のＰＴＰシート撮影画像の前記取得した錠剤ポケット領域を、当該第１のＰＴＰシート撮影画像とは異なるように加工した第２のＰＴＰシート撮影画像を生成する生成手段と、
前記第２のＰＴＰシート撮影画像を、前記マッチングするマスター画像として、ＰＴＰシート種別に関連付けて登録する登録手段と、
を備えることを特徴とする情報処理装置。
【請求項２】
前記生成手段が、前記取得した錠剤ポケット領域を除外する処理で、当該第１のＰＴＰシート撮影画像とは異なるように加工した第２のＰＴＰシート撮影画像を生成することを特徴とする請求項１に記載の情報処理装置。
【請求項３】
前記生成手段が、前記取得した錠剤ポケット領域を均一化する処理で、当該第１のＰＴＰシート撮影画像とは異なるように加工した第２のＰＴＰシート撮影画像を生成することを特徴とする請求項１に記載の情報処理装置。
【請求項４】
撮影したＰＴＰシートをマッチングするマスター画像を管理する情報処理装置の制御方法であって、
ＰＴＰシート種別毎に錠剤ポケット領域の位置情報が関連付けられたＰＴＰシートデータを記憶する記憶手段を備え、
前記情報処理装置の取得手段が、前記ＰＴＰシートデータを用いて、ＰＴＰシート種別毎の錠剤ポケット領域の位置情報を取得する取得工程と、
前記情報処理装置の生成手段が、指定したＰＴＰシート種別に対応する第１のＰＴＰシート撮影画像の前記取得した錠剤ポケット領域を、当該第１のＰＴＰシート撮影画像とは異なるように加工した第２のＰＴＰシート撮影画像を生成する生成工程と、
前記情報処理装置の登録手段が、前記第２のＰＴＰシート撮影画像を、前記マッチングするマスター画像として、ＰＴＰシート種別に関連付けて登録する登録工程と、
を含むことを特徴とする制御方法。
【請求項５】
撮影したＰＴＰシートをマッチングするマスター画像を管理する情報処理装置で読み取り実行可能なプログラムであって、
前記情報処理装置を、
ＰＴＰシート種別毎に錠剤ポケット領域の位置情報が関連付けられたＰＴＰシートデータを記憶する記憶手段と、
前記ＰＴＰシートデータを用いて、ＰＴＰシート種別毎の錠剤ポケット領域の位置情報を取得する取得手段と、
指定したＰＴＰシート種別に対応する第１のＰＴＰシート撮影画像の前記取得した錠剤ポケット領域を、当該第１のＰＴＰシート撮影画像とは異なるように加工した第２のＰＴＰシート撮影画像を生成する生成手段と、
前記第２のＰＴＰシート撮影画像を、前記マッチングするマスター画像として、ＰＴＰシート種別に関連付けて登録する登録手段と、
として機能させることを特徴とするプログラム。
【請求項６】
撮影したＰＴＰシートをマッチングするマスター画像を管理する情報処理装置であって、
ＰＴＰシート種別毎に単一シート領域の位置情報が関連付けられたＰＴＰシートデータを記憶する記憶手段と、
前記ＰＴＰシートデータを用いて、ＰＴＰシート種別毎の単一シート領域の位置情報を取得する取得手段と、
指定したＰＴＰシート種別に対応する第１のＰＴＰシート撮影画像から前記取得した単一シート領域だけを切り出した第２のＰＴＰシート撮影画像を生成する生成手段と、
前記第２のＰＴＰシート撮影画像を、前記マッチングするマスター画像として、ＰＴＰシート種別に関連付けて登録する登録手段と、
を備えることを特徴とする情報処理装置。
【請求項７】
撮影したＰＴＰシートをマッチングするマスター画像を管理する情報処理装置の制御方法であって、
ＰＴＰシート種別毎に単一シート領域の位置情報が関連付けられたＰＴＰシートデータを記憶する記憶手段を備え、
前記情報処理装置の取得手段が、前記ＰＴＰシートデータを用いて、ＰＴＰシート種別毎の単一シート領域の位置情報を取得する取得工程と、
前記情報処理装置の生成手段が、指定したＰＴＰシート種別に対応する第１のＰＴＰシート撮影画像から前記取得した単一シート領域だけを切り出した第２のＰＴＰシート撮影画像を生成する生成工程と、
前記情報処理装置の登録手段が、前記第２のＰＴＰシート撮影画像を、前記マッチングするマスター画像として、ＰＴＰシート種別に関連付けて登録する登録工程と、
を含むことを特徴とする制御方法。
【請求項８】
撮影したＰＴＰシートをマッチングするマスター画像を管理する情報処理装置で読み取り実行可能なプログラムであって、
前記情報処理装置を、
ＰＴＰシート種別毎に単一シート領域の位置情報が関連付けられたＰＴＰシートデータを記憶する記憶手段と、
前記ＰＴＰシートデータを用いて、ＰＴＰシート種別毎の単一シート領域の位置情報を取得する取得手段と、
指定したＰＴＰシート種別に対応する第１のＰＴＰシート撮影画像から前記取得した単一シート領域だけを切り出した第２のＰＴＰシート撮影画像を生成する生成手段と、
前記第２のＰＴＰシート撮影画像を、前記マッチングするマスター画像として、ＰＴＰシート種別に関連付けて登録する登録手段と、
して機能させることを特徴とするプログラム。
【発明の詳細な説明】
【技術分野】
【０００１】
ＰＴＰシートを撮影した画像から薬剤名を識別する情報処理装置、その制御方法とプログラムの技術に関する。
【背景技術】
【０００２】
ＰＴＰシートを撮影した画像から薬剤名を識別したい場合、あらかじめ登録されたＰＴＰシートのマスター画像と入力画像をマッチングし、マッチングはマスター画像と入力画像から抽出した様々な特徴量を用いて類似度を算出し、登録済みのマスター画像と入力画像をマッチングして得られた類似度が高い場合に、マスター画像と入力画像が同じと判定し、類似度が最も高いマスター画像に関連する薬剤名に、ＰＴＰシートの薬剤名を識別することが考えられる。
【先行技術文献】
【特許文献】
【０００３】
【特許文献１】特開２０１６−１５０９３号公報
【発明の概要】
【発明が解決しようとする課題】
【０００４】
上記特許文献１の分包錠剤監査装置では、錠剤を撮影した画像データから錠剤画像を切り出し、パターン認識によって錠剤候補を示す認識結果を生成し、テンプレート画像とのテンプレートマッチングを行い、マッチング度合を類似度として生成した認識結果に付与するものである。
【０００５】
例えば持参薬である使いかけのＰＴＰシートには、一部の錠剤ポケットから錠剤が取り出された状態のものがあり、取り出し時に破れた蓋材の輪郭や背景が入力画像内に含まれる。そのため、入力画像にはマスター画像にはない特徴量が含まれるため、マスター画像と入力画像をマッチングする際に、類似度の算出に悪影響を及ぼすケースがある。
【０００６】
本願発明は、マスター画像と入力画像をマッチングする際に、類似度の算出に悪影響を及ぼさないＰＴＰシートのマスター画像を準備する仕組みを提供することを目的とする。
【課題を解決するための手段】
【０００７】
本願発明は、撮影したＰＴＰシートをマッチングするマスター画像を管理する情報処理装置であって、ＰＴＰシート種別毎に錠剤ポケット領域の位置情報が関連付けられたＰＴＰシートデータを記憶する記憶手段と、前記ＰＴＰシートデータを用いて、ＰＴＰシート種別毎の錠剤ポケット領域の位置情報を取得する取得手段と、指定したＰＴＰシート種別に対応する第１のＰＴＰシート撮影画像の前記取得した錠剤ポケット領域を、当該第１のＰＴＰシート撮影画像とは異なるように加工した第２のＰＴＰシート撮影画像を生成する生成手段と、前記第２のＰＴＰシート撮影画像を、前記マッチングするマスター画像として、ＰＴＰシート種別に関連付けて登録する登録手段と、を備えることを特徴とする。
【０００８】
本願発明は、撮影したＰＴＰシートをマッチングするマスター画像を管理する情報処理装置の制御方法であって、ＰＴＰシート種別毎に錠剤ポケット領域の位置情報が関連付けられたＰＴＰシートデータを記憶する記憶手段を備え、前記情報処理装置の取得手段が、前記ＰＴＰシートデータを用いて、ＰＴＰシート種別毎の錠剤ポケット領域の位置情報を取得する取得工程と、前記情報処理装置の生成手段が、指定したＰＴＰシート種別に対応する第１のＰＴＰシート撮影画像の前記取得した錠剤ポケット領域を、当該第１のＰＴＰシート撮影画像とは異なるように加工した第２のＰＴＰシート撮影画像を生成する生成工程と、前記情報処理装置の登録手段が、前記第２のＰＴＰシート撮影画像を、前記マッチングするマスター画像として、ＰＴＰシート種別に関連付けて登録する登録工程と、を含むことを特徴とする。
【０００９】
本願発明は、撮影したＰＴＰシートをマッチングするマスター画像を管理する情報処理装置で読み取り実行可能なプログラムであって、前記情報処理装置を、ＰＴＰシート種別毎に錠剤ポケット領域の位置情報が関連付けられたＰＴＰシートデータを記憶する記憶手段と、前記ＰＴＰシートデータを用いて、ＰＴＰシート種別毎の錠剤ポケット領域の位置情報を取得する取得手段と、指定したＰＴＰシート種別に対応する第１のＰＴＰシート撮影画像の前記取得した錠剤ポケット領域を、当該第１のＰＴＰシート撮影画像とは異なるように加工した第２のＰＴＰシート撮影画像を生成する生成手段と、前記第２のＰＴＰシート撮影画像を、前記マッチングするマスター画像として、ＰＴＰシート種別に関連付けて登録する登録手段と、として機能させることを特徴とする。
【発明の効果】
【００１０】
本願発明により、マスター画像と入力画像をマッチングする際に、類似度の算出に悪影響を及ぼさないＰＴＰシートのマスター画像を準備する仕組みを提供することが可能となる。
【図面の簡単な説明】
【００１１】
【図１】本願発明の持参薬識別装置１００、持参薬撮影装置２００、薬剤マスター用ＤＢサーバ３００が通信可能に接続されたシステム構成を示す図である。
【図２】本願発明の持参薬識別装置１００と薬剤マスター用ＤＢサーバ３００のハードウェア構成を示す図である。
【図３】本願発明のＰＴＰシートの識別結果出力処理を示すフローチャートである。
【図４】本願発明のＰＴＰシートのマスター画像登録処理を示すフローチャートである。
【図５】本願発明の薬剤マスターに新規に登録されたマスター画像ファイルの一例を示したである。
【図６】本願発明の薬剤マスターで管理される、ＰＴＰシート種別に関連する各種データを並べたテーブルである。
【図７】本願発明の持参薬識別装置１００が表示制御する識別結果表示画面である。
【図８】本願発明の持参薬識別装置１００が表示制御するマスター画像新規登録画面である。
【図９】本願発明の持参薬識別装置１００の機能ブロックを示す図である。
【発明を実施するための形態】
【００１２】
図１を説明する。
【００１３】
入院患者が持参する薬剤をカメラで撮影し、薬剤マスターの情報と照合し、薬剤を判別する。
持参する薬剤はＰＴＰシート、裸錠（ＰＴＰシートから取り出された錠剤）の２種類が想定され、持参薬撮影装置２００と、持参薬撮影装置２００で撮影した画像を取り込む持参薬識別装置（情報処理装置）１００、薬剤マスター１０００に薬剤の情報を登録する薬剤マスター用ＤＢサーバ（情報処理装置）３００で構成される。
【００１４】
持参薬撮影装置２００には、薬剤トレイ上にＰＴＰシートまたは裸錠を乗せて、ＰＴＰシートまたは裸錠の表裏を撮影するためのカメラが上下に搭載される。また、撮影時に使用する照明がＰＴＰシート用、裸錠用の２種類が上下に搭載される。また、照明のＯＮ／ＯＦＦ、光量を制御する照明制御が搭載される。
【００１５】
持参薬識別装置１００は薬剤マスター用ＤＢ３００と通信可能に接続されている。
【００１６】
図２を説明する。
【００１７】
以下、図２を用いて、持参薬識別装置１００、薬剤マスター用ＤＢサーバ３００のハードウェア構成について説明する。
【００１８】
ＣＰＵ１は、システムバス４に接続される各デバイスやコントローラを統括的に制御する。また、ＲＯＭ２あるいは外部メモリ１１には、ＣＰＵ１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【００１９】
ＲＡＭ３は、ＣＰＵ１の主メモリ、ワークエリア等として機能する。ＣＰＵ１は、処理の実行に際して必要なプログラム等をＲＯＭ２あるいは外部メモリ１１からＲＡＭ３にロードして、該ロードしたプログラムを実行することで各種動作を実現するものである。
【００２０】
また、５は入力コントローラで、キーボード（ＫＢ）９やカメラデバイス１２（撮像装置）、不図示のマウス等のポインティングデバイス等からの入力を制御する。２０６はビデオコントローラで、ＣＲＴディスプレイ（ＣＲＴ）１０等の表示器への表示を制御する。なお、ＣＲＴ１０と記載しているが、表示器はＣＲＴだけでなく、液晶ディスプレイ等の他の表示器であってもよい。これらは必要に応じて管理者が使用するものである。
【００２１】
メモリコントローラ７は、ブートプログラム，各種のアプリケーション，フォントデータ，ユーザファイル，編集ファイル，各種データ等を記憶する外部記憶装置（ハードディスク（ＨＤ））や、フレキシブルディスク（ＦＤ）、或いはＰＣＭＣＩＡカードスロットにアダプタを介して接続されるコンパクトフラッシュ（登録商標）メモリ等の外部メモリ１１へのアクセスを制御する。
【００２２】
通信Ｉ／Ｆコントローラ８は、ネットワーク（例えば、図に示したＬＡＮ）を介して外部機器と接続・通信するものであり、ネットワークでの通信制御処理を実行する。例えば、ＴＣＰ／ＩＰを用いた通信等が可能である。
【００２３】
なお、ＣＰＵ１は、例えばＲＡＭ３内の表示情報用領域へアウトラインフォントの展開（ラスタライズ）処理を実行することにより、ＣＲＴ１０上での表示を可能としている。また、ＣＰＵ１は、ＣＲＴ１０上の不図示のマウスカーソル等でのユーザ指示を可能とする。
【００２４】
本発明を実現するための後述する各種プログラムは、外部メモリ１１に記録されており、必要に応じてＲＡＭ３にロードされることによりＣＰＵ１によって実行されるものである。さらに、上記プログラムの実行時に用いられる定義ファイル及び各種情報テーブル等も、外部メモリ１１に格納されており、これらについての詳細な説明も後述する。
【００２５】
また、本発明における実行可能なプログラムは、図３乃至図４の処理をコンピュータに実行させるプログラムである。なお、本発明におけるプログラムは、図３乃至図４の各処理ごとのプログラムであってもよい。
【００２６】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００２７】
この場合、記録媒体から読み出されたプログラム自体が本発明の新規な機能を実現することになり、そのプログラムを記録した記録媒体は本発明を構成することになる。
【００２８】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００２９】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００３０】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００３１】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００３２】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【００３３】
以下、図３乃至図４のフローチャート図を参照し、ＰＴＰシートの識別結果出力処理、ＰＴＰシートのマスター画像登録処理について説明する。図３乃至図４のフローチャート図は、持参薬識別装置１００のＣＰＵの指示により、持参薬識別装置１００と薬剤マスター用ＤＢサーバ３００とが連携して実行するものする。
【００３４】
図３を説明する。
【００３５】
持参薬識別装置１００で実行されるＰＴＰシートの識別結果出力処理に関する処理フローである。
【００３６】
ＰＴＰシートには一般的に錠剤を格納するための錠剤ポケットがある。入院患者が持参するＰＴＰシートの中には、上記の錠剤ポケットから錠剤が取り出されている状態のものが存在するケースがあり、薬剤マスター登録時のＰＴＰシートの状態と異なる特徴量情報が抽出され、類似度の算出に悪影響を及ぼす可能性がある。この問題を解決するために、入院患者が持参するＰＴＰシートの錠剤ポケット領域、及び、薬剤マスター登録時のＰＴＰシートの錠剤ポケットの領域から抽出された特徴量情報は、類似度算出に用いないための処理を追加する。
【００３７】
ＰＴＰシートの識別結果出力処理フローを説明する。
【００３８】
Ｓ１１０１では、薬剤マスター用ＤＢサーバ３００で撮影された入力画像（第３のＰＴＰシート撮影画像）を１枚だけ抽出する。
【００３９】
Ｓ１１０２では、薬剤マスター（登録後）から、ある薬剤名に対応するのマスター画像をランダムに選択し、ランダムに選択した薬剤名に対応する単一ピース領域のマスター画像ファイル４０６の特徴量情報Ｂを取得する。
【００４０】
Ｓ１１０３では、入力画像を画像解析して特徴量情報Ａを取得する。
【００４１】
Ｓ１１０４では、特徴量情報を取得した位置が錠剤ポケット領域に含まれるか否かを上記の錠剤ポケット領域マスキング画像から判断する。
【００４２】
Ｓ１１０５では、特徴量情報を取得した位置が錠剤ポケット領域に含まれないと判断された場合は、入力画像を画像解析した特徴量情報Ａと、Ｓ１１０２で取得した単一ピース領域のマスター画像ファイル４０６の特徴量情報Ｂと比較することで、マスター画像と入力画像との類似度（マッチング）を算出する。
【００４３】
Ｓ１１０６では、算出した類似度を累積する。
【００４４】
Ｓ１１０７では、尚入力画像において特徴量情報Ａを得るための画像解析領域をスキャンすることで、いろいろな特徴量情報Ａが取得されるまでＳ１１０３〜Ｓ１１０６を繰り返す。
【００４５】
Ｓ１１０８では、いろいろな特徴量情報Ａとの類似度をＳ１１０２でランダムに選択した薬剤名の類似度として保持する。
【００４６】
Ｓ１１０９では、薬剤マスター（登録後）にあるの全ての薬剤名に対応するのマスター画像が参照されるまでＳ１１０２〜Ｓ１１０８を繰り返す。
【００４７】
Ｓ１１１０では、入力画像（第３のＰＴＰシート撮影画像）の識別結果（ＰＴＰシート名）を画面（図７）に出力する。つまり、図７のように、入力画像（第３のＰＴＰシート撮影画像）を画像解析した特徴量情報Ａと、ランダムに選択した薬剤名に対応する単一ピース領域のマスター画像ファイル４０６の特徴量情報Ｂとを、１枚ずつ特徴量情報マッチングさせて、多数の単一ピース領域のマスター画像ファイル４０６集の中から、特徴量情報Ａと最も高い類似度が得られた単一ピース領域のマスター画像ファイル４０６に関連づけられている薬剤名を識別して、持参薬識別結果に（例えばクラレス錠２０ｍｇの可能性が高い）表示している。
【００４８】
図４を説明する。
【００４９】
持参薬識別装置１００で実行されるＰＴＰシートのマスター画像登録処理に関する処理フローである。
【００５０】
ＰＴＰシートのマスター画像登録処理フローを説明する。
【００５１】
なお、薬剤マスターにＰＴＰシートの単一ピース領域の特徴量情報を登録する場合の処理フローであり、必ずしも単一ピースである必要はない。
【００５２】
Ｓ１２０１では、入力画像（第１のＰＴＰシート撮影画像）を１枚抽出する。この時に図８の画面の登録薬剤名に例えばクラレス錠２０ｍｇを指定することで、薬剤マスター１０００（座標データ）を参照して、クラレス錠２０ｍｇに関連づけられている単一ピース座標５１０、ポケット中心座標５１１、ポケット直径５１２の各データを取得する。
【００５３】
Ｓ１２０２では、Ｓ１２０１で取得したクラレス錠２０ｍｇに関連づけられている単一ピース座標５１０を使って１枚抽出した入力画像におけるＰＴＰシートの単一ピースの画像領域を抽出する。
【００５４】
Ｓ１２０３では、Ｓ１２０２で抽出したＰＴＰシートの単一ピースの画像領域を入力画像から切り出す。
【００５５】
Ｓ１２０４では、Ｓ１２０１で取得したクラレス錠２０ｍｇに関連づけられているポケット中心座標５１１、ポケット直径５１２を使って、切り出した単一ピースの画像領域から、更に、２錠分の錠剤ポケット画像領域を抽出する。
【００５６】
Ｓ１２０５では、Ｓ１２０４で抽出した２錠分の錠剤ポケット画像領域をマスキングしたマスキング画像（第２のＰＴＰシート撮影画像）を生成する。
【００５７】
Ｓ１２０６では、入力画像から特徴量情報を取得する。
【００５８】
Ｓ１２０７では、特徴量情報を取得した位置が錠剤ポケット領域に含まれると判断された場合は、Ｓ１２０６に戻る。
【００５９】
Ｓ１２０８では、入力画像から錠剤ポケット領域以外の特徴量情報を保持する。
【００６０】
Ｓ１２０９では、Ｓ１２０３でＰＴＰシートの単一ピースの画像領域を入力画像から切り出した単一ピース領域の切り出し画像４０２をマスター画像として薬剤マスター１０００（登録後）に新規登録する。
【００６１】
Ｓ１２１０では、単一ピース領域の切り出し画像４０２の上に、２錠分の錠剤ポケット画像領域をマスキングしたマスキング画像４０３を重畳させた、単一ピース領域のマスター画像から得られる特徴量情報を薬剤マスター１０００に新規登録する（図示しない）。
【００６２】
Ｓ１２１１では、単一ピース領域の切り出し画像４０２の上に、２錠分の錠剤ポケット画像領域をマスキングしたマスキング画像４０３を重畳させた、単一ピース領域のマスター画像ファイル４０６を、薬剤マスター１０００（登録後）の単一ピース領域マスター画像の項目５０２に、Ｓ１２０１で指定したクラレス錠２０ｍｇに関連づけて新規登録する。
【００６３】
尚、図８の画面を用いて、Ｓ１２１１で新規登録する単一ピース領域のマスター画像ファイル７０２と登録薬剤名７０３との関連づけは薬剤マスター登録ボタン７０４を押下することで実行されるものとする。
【００６４】
図５を説明する。
【００６５】
薬剤マスターに新規に登録されたマスター画像ファイルの一例を示したである。
【００６６】
ＰＴＰシートの撮影画像には、ＰＴＰシート全体４０１とマスキング無しの各錠剤ポケット４０４が写っている。
【００６７】
単一ピースの切り出し画像には、ＰＴＰシート全体４０１から単一ピースを切り出した単一ピース領域４０２と、マスキング無しの各錠剤ポケット領域４０４とが写っている。
【００６８】
ポケット領域をマスキングする画像には、ＰＴＰシート全体４０１から単一ピースを切り出した単一ピース枠４０３と、各錠剤ポケット領域４０４だけがマスキング加工済みの各錠剤ポケット領域４０５が写っている。
【００６９】
単一ピースのマスター画像４０６は、単一ピース領域４０２の上に各錠剤ポケット領域４０４だけがマスキング加工済みの各錠剤ポケット領域４０５を重畳させたものである。
【００７０】
尚マスキング加工は、錠剤ポケット領域４０４を、単一ピース領域４０２から除外する処理でもよく、錠剤ポケット領域４０４を均一化する処理でもよい。
【００７１】
図６を説明する。
【００７２】
上段は薬剤マスター１０００で予め管理される、ＰＴＰシート種別（あるいは薬剤名）毎に関連付けられた各種ＰＴＰシートデータを並べたテーブルである。
【００７３】
薬剤名５０９は、例えばクラレス錠２０ｍｇであり、クラレス錠２０ｍｇの薬剤名やＰＴＰシート名を別の薬剤やＰＴＰシート名と識別可能なシートデータである。
【００７４】
単一ピース座標５１０は、例えば２点のＸ，Ｙ座標（位置情報）であり、ＰＴＰシート名毎に測定された基準座標（０，０）からの相対座標であり、基準座標（０，０）から見た単一ピース領域の左下座標と右上座標が予め登録されている。
【００７５】
ポケット中心座標５１１は、例えば２点のＸ，Ｙ座標（位置情報）であり、ＰＴＰシート名毎に測定された基準座標（０，０）からの相対座標であり、基準座標（０，０）から見た左錠剤ポケット領域の中心座標、右錠剤ポケット領域の中心座標が予め登録されている。
【００７６】
ポケット直径５１２は、例えば錠剤ポケット（サイズ情報、形状情報）であり、錠剤ポケット領域の直径（５ｍｍ等）、形状（丸型、カプセル型等）が予め登録されている。
【００７７】
下段は薬剤マスター１０００に新規登録される、ＰＴＰシート種別（あるいは薬剤名）毎に関連する各種ＰＴＰシートデータを並べたテーブルである。
【００７８】
薬剤名５０１は、例えばクラレス錠２０ｍｇであり、クラレス錠２０ｍｇの薬剤名やＰＴＰシート名を別の薬剤やＰＴＰシート名と識別可能なシートデータである。薬剤名５０１には、図８のマスター画像新規登録画面内で、登録薬剤名７０３に入力された名前が新規登録される。
【００７９】
単一ピースマスター画像５０２は、例えばＰＴＰシートのマスター画像登録処理で、クラレス錠２０ｍｇのＰＴＰシートから切り出したクラレス錠２０ｍｇを識別する目的のマスター画像であり、例えば図５の４０６のような画像ファイル（ＧＩＦファイル等）として新規登録される。
【００８０】
単一ピース高さ５０３は、例えばＰＴＰシートのマスター画像登録処理で、クラレス錠２０ｍｇのＰＴＰシートから切り出した単一ピース領域の高さ（Ｈ）を算出し、新規登録される。
【００８１】
単一ピース幅５０４は、例えばＰＴＰシートのマスター画像登録処理で、クラレス錠２０ｍｇのＰＴＰシートから切り出した単一ピース領域の幅（Ｗ）を算出し、新規登録される。
【００８２】
ＰＴＰシート高さ５０５は、例えばクラレス錠２０ｍｇのＰＴＰシートの高さ（Ｈ）が予め登録されている。
【００８３】
ＰＴＰシート幅５０６は、例えばクラレス錠２０ｍｇのＰＴＰシートの幅（Ｗ）が予め登録されている。
【００８４】
耳部高さ５０７は、例えばＰＴＰシートのマスター画像登録処理で、クラレス錠２０ｍｇのＰＴＰシートから切り出した耳部（タブ部）領域の幅（Ｈ）を算出し、新規登録される。
【００８５】
図７を説明する。
【００８６】
持参薬識別装置１００が表示制御する識別結果表示画面である。識別結果表示画面は、Ｓ１１１０の結果を画面で出力するものである。
【００８７】
持参薬ＰＴＰシート画像６０１には、持参薬撮影装置２００で撮影された持参薬であるＰＴＰシート（第３のＰＴＰシート撮影画像）が表示されている。つまり持参薬であるＰＴＰシートの単一ピース領域を、多数のマスター画像と特徴量でマッチングすることで、最も類似度の高いマスター画像を探している。
【００８８】
類似マスター画像６０２には、持参薬であるＰＴＰシートに最も類似度の高いマスター画像が表示されている。
【００８９】
持参薬識別結果６０３には、類似マスター画像に表示されているマスター画像に対応する薬剤名（ＰＴＰシート名）が表示されている。
【００９０】
持参薬登録ボタン６０４は、表示されたマスター画像に対応する薬剤名（ＰＴＰシート名）が正しく持参薬として登録するためのボタンである。
【００９１】
キャンセルボタン６０５は、表示されたマスター画像に対応する薬剤名（ＰＴＰシート名）が間違いであり持参薬としてキャンセルするためのボタンである。
【００９２】
図８を説明する。
【００９３】
持参薬識別装置１００が表示制御するマスター画像新規登録画面である。マスター画像新規登録画面は、Ｓ１２１１の結果を画面で出力するものである。
【００９４】
撮影した画像７０１には、持参薬撮影装置２００で撮影されたマスター画像として登録したいＰＴＰシート（第１のＰＴＰシート撮影画像）が表示されている。
【００９５】
抽出単一ピース画像７０２には、マスター画像として登録したいＰＴＰシートから切り出された単一ピース領域であって、錠剤ポケットがマスキング加工済みの単一ピース画像（第２のＰＴＰシート撮影画像）が表示されている。
【００９６】
登録薬剤名７０３には、表示された単一ピース画像と対応づけさせたい薬剤名（ＰＴＰシート名）をユーザが手動で入力する欄である。
【００９７】
薬剤マスター登録ボタン７０４は、表示された単一ピース画像と対応づけさせたい薬剤名（ＰＴＰシート名）を薬剤マスターに新規登録するためのボタンである。
【００９８】
キャンセルボタン７０５は、表示された単一ピース画像と対応づけさせたい薬剤名（ＰＴＰシート名）の薬剤マスターへの登録をキャンセルするためのボタンである。
【００９９】
図９を説明する。
【０１００】
持参薬識別装置１００の機能ブロックを示したものである。
【０１０１】
持参薬識別装置１００の取得部は、ＰＴＰシートデータを用いて、ＰＴＰシート種別毎の錠剤ポケット領域の位置情報を取得する機能を有する。
【０１０２】
持参薬識別装置１００の取得部は、ＰＴＰシートデータを用いて、ＰＴＰシート種別毎の単一シート領域の位置情報を取得する機能を有する。
【０１０３】
持参薬識別装置１００の生成部は、指定したＰＴＰシート種別に対応する第１のＰＴＰシート撮影画像の取得した錠剤ポケット領域を、当該第１のＰＴＰシート撮影画像とは異なるように加工した第２のＰＴＰシート撮影画像を生成する機能を有する。
【０１０４】
持参薬識別装置１００の生成部は、指定したＰＴＰシート種別に対応する第１のＰＴＰシート撮影画像から取得した単一シート領域だけを切り出した第２のＰＴＰシート撮影画像を生成する機能を有する。
【０１０５】
持参薬識別装置１００の登録部は、第２のＰＴＰシート撮影画像を、マッチングするマスター画像として、ＰＴＰシート種別に関連付けて登録する機能を有する。
【０１０６】
薬剤マスター用ＤＢサーバ３００の機能ブロックを示したものである。
【０１０７】
薬剤マスター用ＤＢサーバ３００の記憶部は、ＰＴＰシート種別毎に錠剤ポケット領域の位置情報が関連付けられたＰＴＰシートデータを記憶する機能を有する。
【０１０８】
薬剤マスター用ＤＢサーバ３００の記憶部は、ＰＴＰシート種別毎に単一シート領域の位置情報が関連付けられたＰＴＰシートデータを記憶する機能を有する。
【０１０９】
尚、上記薬剤マスター用ＤＢサーバ３００と同じ機能の記憶部を、持参薬識別装置１００が備えていてもよい。
【符号の説明】
【０１１０】
１００  持参薬識別装置（情報処理装置）
２００  持参薬撮影装置（画像取得装置）
３００  薬剤マスター用ＤＢサーバ（情報処理装置）
【図１】
2018173803.tif 000003
【図２】
2018173803.tif 000004
【図３】
2018173803.tif 000005
【図４】
2018173803.tif 000006
【図５】
2018173803.tif 000007
【図６】
2018173803.tif 000008
【図７】
2018173803.tif 000009
【図８】
2018173803.tif 000010
【図９】
2018173803.tif 000011